(57)【要約】【課題】液晶表示器を用いて構成した燃焼機等の電気器具の表示装置に関するもので、簡単な構成でわかりやすい表示装置を提供することを目的とする。【解決手段】表示部は液晶表示器２０をホルダー２１を介してプリント基板１９に配設するとともに、液晶表示器２０の背景色を複数とするように、液晶表示器２０の背面に複数の配色を施した背面手段を配設して、液晶表示器２０の背景色を表示する内容に応じて色を変えることで、同時に複数の運転状態を複数の背景色で表示でき、遠く離れた状態でも液晶表示器２０の表示する内容が背景色で判別できるようになり、わかりやすい表示ができるようになる。また、表示内容に対応して背景色を変え、表示内容を背景色で分類した構成にすることもでき、背景色で、表示内容の概要が判断でき、判りやすくなり、使い勝手が増すようになる。【選択図】図１
2005172369.tif 000002
【特許請求の範囲】
【請求項１】
運転指示及び各種設定を行う操作部と、この操作部の指示により運転を制御する制御部と、前記制御部による運転状態を表示する表示部を備え、前記表示部は液晶表示器を用い、液晶表示器の背景色を複数とするように、液晶表示器の背面に複数の配色を施した背面手段を配設した石油燃焼器の表示装置。
【請求項２】
液晶表示器に表示する内容部分は透明として背景を半透明とする反転表示をするように構成した請求項１項記載の石油燃焼機の表示装置。
【請求項３】
表示部は液晶表示器をホルダーを介してプリント基板に配設するとともに、液晶表示器の背景色を複数とするように、少なくともホルダーの表面は蓄光剤を混入した複数の蛍光色で配色を施した請求項１または２記載の石油燃焼機の表示装置。
【発明の詳細な説明】
【技術分野】
【０００１】
本発明は、液晶表示器を用いて構成した石油燃焼機の表示装置に関するものである。
【背景技術】
【０００２】
従来、石油ファンヒータ等の石油燃焼機の表示装置は多彩な表示内容をするため表示情報量を多く必要とし、蛍光表示管や液晶表示器が多く用いられている。
【０００３】
従来の石油ファンヒータ等の燃焼機の表示装置としては、操作部に設けた各種操作スイッチの近傍にＬＥＤを配して、このＬＥＤを点灯させたり、点滅させたりして、操作内容や運転状態を表示するようにしていた。しかしながら、近年、燃焼機の機能が増加し、その機能を表示しようとするとＬＥＤの点灯表示では対応しきれない状態となってきた。そこで、この問題を解決するために、蛍光表示管や液晶表示器を用いたものが燃焼機の表示装置として主流になってきている。
【０００４】
この蛍光表示管や液晶表示器を用いると、表示部が一ヶ所に集中するためコンパクトに納まり操作部のスペースを有効に利用することができるため小型化が可能となったり、制御部との接続を簡素化できるというメリットがある。さらに、蛍光表示管や液晶表示器は従来のＬＥＤ点灯方式に比べ、文字や図柄の表示で操作内容や運転状態を表示することができるため、多くの機能を有した近年の燃焼機の表示装置としては最適なものである。
【０００５】
しかしながら、石油ファンヒータ等の燃焼機は通常、使用者の近くにはなく、部屋全体の空調制御をするのが普通である。この場合、上記のようにコンパクトな液晶表示器の中にたくさんの表示内容を盛り込んだ表示装置では、各表示セグメントを小さくせざるを得ないため、離れた場所からでは細かい表示内容までは確認できないという課題があり、その為種々の改良がなされてきている（例えば、特許文献１参照）。
【０００６】
図４は、特許文献１に記載された従来の燃焼機のブロック図、図５は同燃焼機の制御部２内の表示比較判断部（図示せず）の動作を表すフローチャートである。特許文献１に記載された従来の石油ファンヒータ等の燃焼機の表示装置について図４、図５を用いて説明すると、運転指示及び各種設定を行う操作部１の信号に基づいて、制御部２は該機器の運転を制御するようになっていて、その制御部２による運転状態の内容を表示部３で表示するようにしてある。また、該機器の燃焼部４はバーナーや対流ファンを備えており、室温を検出する室温センサー５や、灯油の有無を検出する油面センサー６の信号に応じて、制御部２は、操作部１からの運転指示及び各種設定に従い、燃焼部４内のバーナーや対流ファンを所定の燃焼量になるように制御すると共に、現在の運転状態を表示部３に表示する制御を行う。
【０００７】
表示装置の動作について説明すると、バックライトの色は「赤」「緑」「オレンジ」の３色とし、「緑」と「オレンジ」の切り替え条件は室温と設定温度の関係で決まるものとする。また、「赤」は全てに優先して点灯する色で、まもなく燃焼が停止することを予告する色とする。
【０００８】
運転スイッチがＯＦＦなら、バックライトは消灯状態にする（ステップ１９）。運転スイッチがＯＮなら、予め設定されているバックライト色切り替え条件に従ってバックライトの色を決定する条件判断を行う。使用者が操作部１で設定した温度になるように燃焼部４の燃焼制御を行い部屋の空調制御をする。
【０００９】
このとき、油面センサー６からの信号は油有りで、３時間消火予告前でなく、タイマー燃焼での消火１０分前でない場合、操作部１で設定された設定温度と室温センサー５からの室内温度の関係でバックライトの色を決める。すなわち、「室内温度≧設定温度」ならバックライトは「緑」を点灯する（ステップ１７）。「室内温度＜設定温度」ならバックライトは「オレンジ」を点灯する（ステップ１８）。
【００１０】
ここで、「緑」と「赤」の光源の同時点灯とすることで「オレンジ」色を実現していて、２色の光源を同時点灯することで第３色目を実現しているため、３色の光源を必要とせず、コストをかけることなく、３色での燃焼機の状態表現出来る。離れた場所からでもバックライトの色を確認するだけで運転状態が確認でき、使い勝手の良い燃焼機の表示装置が実現できる。
【特許文献１】特開２００３−１８５１３５号公報
【発明の開示】
【発明が解決しようとする課題】
【００１１】
前記従来の構成では、表示部３はバックライトを有する液晶表示器を用い、前記バックライトは２色以上の色を切り替え、「強燃焼」や「弱燃焼」、「サーモＯＦＦ」、「省エネ運転」、「３時間消火前予告」、「タイマー運転」、「給油」、といった燃焼機特有の運転状態に応じて表示する液晶表示器のバックライトの色を切り替えることで表現するようになっていて、液晶表示器全体をバックライト色を変えて１色で表現するため、表示内容は、色に対応する常に１つの事象にしか対応できないという課題があった。
【００１２】
つまり、「強燃焼」や「弱燃焼」、「サーモＯＦＦ」、「省エネ運転」、「３時間消火前予告」、「タイマー運転」、「給油」に対応して、バックライトの色を変えるようにしているため、「強燃焼」「省エネ運転」「３時間消火前予告」等の重ね合わせた表現ができないという課題があった。
【００１３】
また、普通の人たちには赤色などの注意を喚起する色でも、加齢者や色弱者などにとっては、赤などの色は灰色に見え、背景色を赤にすると文字と背景との差が少なくわかりづらいという欠点があった。
【００１４】
さらに、表示部３はバックライトを有する液晶表示器を用いているため、バックライトに使用する光源が必要でその構成は複雑になるとともに、コストもかかるという欠点があった。
【００１５】
本発明は、前記従来の課題を解決するもので、簡単な構成でわかりやすい表示装置を提供することを目的とする。
【課題を解決するための手段】
【００１６】
前記従来の課題を解決するために、本発明の表示装置は、運転指示及び各種設定を行う操作部と、この操作部の指示により運転を制御する制御部と、前記制御部による運転状態を表示する表示部を備え、前記表示部は液晶表示器をホルダーを介してプリント基板に配設するとともに、液晶表示器の背景色を複数とするように、少なくともホルダーの表面は蓄光剤を混入した複数の蛍光色で配色を施した構成としたものである。
【００１７】
これによって、表示部は液晶表示器をホルダーを介してプリント基板に配設するとともに、液晶表示器の背景色を複数とするように、少なくともホルダーの表面は蓄光剤を混入した複数の蛍光色で配色を施してあるので、液晶表示器に表示する内容に応じて、液晶表示器の背景色を部分的に色を変えることができ、視認性が大幅に向上する。
【００１８】
つまり、液晶表示器の背景色を表示する内容に応じて色を変えることで、同時に複数の運転状態を複数の背景色で表示でき、遠く離れた状態でも液晶表示器の表示する内容が背景色で判別できるようになり、わかりやすい表示ができるようになる。また、表示内容に対応して背景色を変え、表示内容を背景色で分類した構成にすることもでき、背景色で、表示内容の概要が判断でき、判りやすくなり、使い勝手が増すようになる。
【００１９】
さらに、少なくともホルダーの表面は蓄光剤を混入した複数の蛍光色で配色を施してあるので、バックライトによる液晶表示器の照明がなくても、液晶表示器に表示する内容がホルダーの蛍光色の背景となりわかりやすくなり、さらに、周囲が暗くなっても蓄光剤に蓄えられた光によって液晶表示器に表示する内容がわかるようになる。
【００２０】
さらに、液晶表示器を照明するバックライトを用いていないために、その構成は簡単となり、安価の構成できるようになる。
【発明の効果】
【００２１】
本発明の表示装置は、液晶表示器に表示する内容に応じて、液晶表示器の背景色を部分的に色を変えることができ、同時に複数の運転状態を複数の背景色で表示できるようになり、遠く離れた状態でも液晶表示器の表示する内容が背景色で判別できるようになるので、視認性が大幅に向上し、わかりやすい表示ができるようになる。
【発明を実施するための最良の形態】
【００２２】
第１の発明は、運転指示及び各種設定を行う操作部と、この操作部の指示により運転を制御する制御部と、前記制御部による運転状態を表示する表示部を備え、前記表示部は液晶表示器を用い、液晶表示器の背景色を複数とするように、液晶表示器の背面に複数の配色を施した背面手段を配設した構成としてある。
【００２３】
そして、表示部は液晶表示器をホルダーを介してプリント基板に配設するとともに、液晶表示器の背景色を複数とするように、液晶表示器の背面に複数の配色を施した背面手段を配設してあるので、液晶表示器に表示する内容に応じて、液晶表示器の背景色を部分的に色を変えることができ、視認性が大幅に向上する。
【００２４】
つまり、液晶表示器の背景色を表示する内容に応じて色を変えることで、同時に複数の運転状態を複数の背景色で表示でき、遠く離れた状態でも液晶表示器の表示する内容が背景色で判別できるようになり、わかりやすい表示ができるようになる。また、表示内容に対応して背景色を変え、表示内容を背景色で分類した構成にすることもでき、背景色で、表示内容の概要が判断でき、判りやすくなり、使い勝手が増すようになる。
【００２５】
第２の発明は、特に、第１の発明の液晶表示器に表示する内容部分を透明として背景を半透明とする反転表示をするように構成してある。
【００２６】
そして、液晶表示器に表示する内容部分は透明として背景を半透明とする反転表示をするように構成してあるので、液晶表示器の背景色で、液晶表示器に表示する内容部分が表れるようになり、よりわかりやすい表示ができるようになる。例えば、液晶表示器に表示しないときは液晶表示器の表示部分が半透明の状態で、液晶表示器に表示するときに表示内容部分が透明となり、液晶表示器の背景色が表れるようになるので、表示内容に応じた色表示ができるようになり、視認性が向上するようになる。
【００２７】
第３の発明は、特に、第１または第２の発明の液晶表示器をホルダーを介してプリント基板に配設するとともに、液晶表示器の背景色を複数とするように、少なくともホルダーの表面は蓄光剤を混入した複数の蛍光色で配色を施した構成としてある。
【００２８】
そして、第１の発明の液晶表示器の背景色を複数とする効果に加え、少なくともホルダーの表面は蓄光剤を混入した複数の蛍光色で配色を施した構成としてあるので、バックライトによる液晶表示器の照明がなくても、液晶表示器に表示する内容がホルダーの蛍光色の背景となりわかりやすくなり、さらに、周囲が暗くなっても蓄光剤に蓄えられた光によって液晶表示器に表示する内容がわかるようになる。
【００２９】
また、液晶表示器を照明するバックライトを用いていないために、その構成は簡単となり、安価の構成できるようになる。
【００３０】
以下、本発明の実施の形態について、図面を参照しながら説明する。なお、この実施の形態によって本発明が限定されるものではない。
【００３１】
（実施の形態１）
図１は、本発明の実施の形態における石油燃焼機の液晶表示器の表示概略図、図２は同液晶表示器の断面構造図、図３は燃焼機の制御ブロック図である。
【００３２】
まず、本発明の液晶表示器を用いる石油燃焼機について、図３を用いて説明すると、運転指示及び各種設定を行う操作部１１の信号に基づいて、制御部１２は該機器の運転を制御するようになっていて、その制御部１２による運転状態の内容を表示部１３で表示するようにしてある。また、燃焼部１４の状態を検出する燃焼センサー１５や、該機器内の温度上昇を検出して空気不足を検出する埃センサー１６、室温を検出する室温センサー１７、そして、灯油の有無を検出する油面センサー１８等の各種センサーの信号に応じて、制御部１２は、操作部１１からの運転指示及び各種設定に従い、バーナーや対流ファン（図示せず）を備えた燃焼部１４を予め決められたシーケンスで制御すると共に、現在の運転状態を表示部１３に表示する制御を行う。
【００３３】
次に、本発明の液晶表示器について、図１、図２を用いて説明すると、プリント基板１９上に、ホルダー２１を介して液晶表示器２０が配設してあり、ホルダー２１の表面は、液晶表示器２０の表示内容に合わせ、液晶表示器２０の背景色を複数とするように、蓄光剤を混入した複数の蛍光色が印刷してある。
【００３４】
また、液晶表示器２０は段付き形状で、その表裏面には偏光板２２、２３がそれぞれ貼着されている。液晶表示器２０の下段部分はプリント基板１９にはんだ付けしたピン２４の先端部に挾持され、プリント基板１９とは導通状態にあり、液晶表示器２０は、安息香酸エチル、オレイン酸アンモニウム等の結晶性物質を熱することにより製造されるもので、ピン２７を介して印加される電圧で結晶配列が変化することにより透明度が変わり、所定の表示ができるようになっている。
【００３５】
この液晶表示器２０に表示する内容部分は透明として背景を半透明とする反転表示をするように構成してあり、液晶表示器２０の背景色で、液晶表示器２０に表示する内容部分が表れるようになっていて、例えば、液晶表示器２０に表示しないときは液晶表示器２０の表示部分が半透明の状態で、液晶表示器２０に表示するときは表示内容部分が透明となり、液晶表示器２０の背景色が表れるようにしてあり、表示内容に応じた色表示ができるようにしてある。
【００３６】
また、液晶表示器２０の表示内容について説明すると、液晶表示器２０には、運転状態の内容を表示する「換気」２５、「掃除」２６、「給油」２７、「残油」２８、「３時間消火前予告」２９、「タイマー消火前予告」３０の絵文字部分と、室温や時刻やエラーコードを表示する「４桁数字表示」３１の数字表示部分と「４桁数字表示」３１の数字表示の周囲に設けた囲い部分３２があり、その表示する内容部分を透明として背景を半透明とする反転表示をするように配設してある。この絵文字部分、数字表示部分、囲い部分３２の位置に対応するホルダー２１の表面は蓄光剤を混入した複数の蛍光色が印刷してあり、液晶表示器２０の内容に合わせ、「換気」２５は赤色、「掃除」２６は青色、「給油」２７は緑色、「残油」２８は黄色、「３時間消火前予告」２９と「タイマー消火前予告」３０はオレンジ色と、そして、「４桁数字表示」３１は白色としてあるとともに、「４桁数字表示」３１の数字表示の周囲の囲い部分３２には、警告を表示するための赤色としてある。
【００３７】
上記した構成において、表示装置の動作ついて説明すると、制御部１２の信号に基づいて液晶表示器２０のピン６を介して電圧が印加されて透明度が変わり、液晶表示器２０に所定の運転状態の内容を表示する絵文字や、室温や時刻やエラーコードを表示する数字表示が反転表示される。
【００３８】
ここで、プリント基板１９上に、ホルダー２１を介して液晶表示器２０が配設してあり、ホルダー２１の表面は、液晶表示器２０の表示内容に合わせ、液晶表示器２０の背景色を複数とするように、蓄光剤を混入した複数の蛍光色が印刷してあり、液晶表示器２０の背景色を部分的に色を変えることかできるようになり、液晶表示器２０の点灯、点滅、消灯を組み合わせて、わかりやすい表示ができるようになる。
【００３９】
例えば、液晶表示器２０に表示する内容に応じて、「換気」２５は赤色、「掃除」２６は青色、「給油」２７は緑色、「残油」２８は黄色、「３時間消火前予告」２９と「タイマー消火前予告」３０はオレンジ色と、そして、「４桁数字表示」３１は白色と、それぞれに対応する部分のホルダー２１に印刷した蛍光色が表れるようにしてある。この様に、表示内容に応じた色表示ができるようにして、液晶表示器２０の表示する内容が背景色で判別できるようになり、視認性が向上するようにしてある。
【００４０】
また、該機器の運転状態が異常の状態を示す場合は、液晶表示器２０の「４桁数字表示」３１にそのエラーを内容を示すエラーコードを反転表示させるとともに、数字表示の周囲の囲い部分３２の液晶表示器の液晶を点滅させて背景色の赤色が点滅するようにして、その点滅で注意喚起をしながら「４桁数字表示」３１のエラーコードの反転表示でその内容のわかりやすく表示でき、視認性が向上するようにしてある。
【００４１】
表示内容について説明すると、「換気」２５は燃焼センサー１５の信号に応じて該機器が密閉された状態で長く使用されて部屋の空気の入れ替えが必要なときに反転表示され、つまり、その時にその部分の表示する内容部分を透明とし、ホルダー２１表面の液晶表示器２０の背景色の赤色が表れるようになっている。同様に、「掃除」２６は埃センサー１６の信号に応じて燃焼部１４のバーナーや対流ファンの空気取り入れ口に埃などが溜まり空気不足になった時の空気取り入れ口のフィルター等の掃除が必要なときに反転表示され、背景色の青色が表れるようになっている。
【００４２】
また、「給油」２７は油面センサー１８の信号に応じて該機器の燃料が残り少なくなったときに反転表示され、背景色の緑色が表れるようにするとともにとともに、「４桁数字表示」３１に時計表示ではなく該機器の燃料で燃焼できる残時間を表示するように切り換えられ、「残油」２８はその「４桁数字表示」３１の表示が残時間表示であることを知らせるために反転表示され、背景色の黄色が表れるようにしてある。
【００４３】
またさらに、「３時間消火前予告」２９は部屋の換気を促すために３時間以内に所定の動作たとえば３時間延長ボタンを使用者が押さなければ運転停止させる機能で継続させるための所定の動作を促すときに反転表示され、背景色のオレンジ色が表れるようになっている。同様に、「タイマー消火前予告」３０はタイマー運転後所定時間に自動運転停止させる機能で継続させるための所定の動作を促すときに反転表示され、背景色のオレンジ色が表れるようになっている。
【００４４】
そして、「４桁数字表示」３１は使用していないときは時計表示あるいはタイマー運転設定時刻の表示などの時刻表示と、運転中は室温センサー１７で検出された室温あるいは設定温度を表す温度表示と、該機器の燃料が残り少なくなったときすなわち「残油」２８点灯時の残時間表示、そして、該機器の運転状態が異常の状態を示す場合にそのエラーを内容を示すエラーコードを反転表示をして、背景色の白色が表れるようにしてある。また、「４桁数字表示」３１には、その示している内容例えば時間表示であれば「時」「分」また温度表示であれば「℃」の単位が反転表示され、背景色の白色が表れるようにしてある。
【００４５】
例えば、「４桁数字表示」３１は、運転していない時は時計の反転表示し、運転中は設定温度と室温の反転表示をし、さらに燃料がなくなって燃料切れで燃焼停止したときには、エラーコード「Ｅ００１」を反転表示して、この場合は「４桁数字表示」の周囲の囲い部分３２が点滅して背景色の赤色が点滅して見えるようになっている。したがって、お年寄りや色弱者の方にとっても、警告を表示する「４桁数字表示」の周囲の囲い部分３２の点滅で異常があったことが判りやすくなり、さらに、その内容を示す表示を「給油」２７の絵文字と「４桁数字表示」３１に示すので、その理由がわかりやすくなるとともに、通常者にとっては、その内容がその部分の背景色でわかるようになり、遠く離れてもその内容が色で判断できるなど使い勝手が大幅に増すようになる。つまり、囲い部分３２の点滅で注意喚起をしながら、「４桁数字表示」３１の反転表示によるで表示内容は分かりやすくすることができるようになり、視認性が大幅に向上する。
【００４６】
この様に、該機器の運転状態に内容に応じて背景色と、液晶表示器２０の表示の点灯、点滅、消灯を組み合わせて、その内容を反転表示させることで、液晶表示器２０の表示する内容がよりわかりやすくなり、視認性が向上し、これに使用者の使い勝手が大幅に改善されるようになる。
【００４７】
また、少なくともホルダー２１の表面は蓄光剤を混入した複数の蛍光色で配色を施した構成としてあるので、バックライトによる液晶表示器２０の照明がなくても、液晶表示器２０に表示する内容がホルダー２１の蛍光色の背景となりわかりやすくなり、さらに、周囲が暗くなっても蓄光剤に蓄えられた光によって液晶表示器２０に表示する内容がわかるようになる。
【００４８】
また、液晶表示器２０を照明するバックライトを用いていないために、その構成は簡単となり、安価の構成できるようになる。
【００４９】
なお、本実施の形態では、液晶表示器２０のバックライト手段のない構成で説明したが、これは、バックライト手段を設けた構成にしてもよく、これによって、バックライト手段の点灯時において、ホルダー２１の蛍光色の背景に加えられるので、その明るさは格段と増え見やすくなるとともに、バックライト手段の照明を減らすことができ構成が簡単となり、コストも安価に構成できるようになる。また、蓄光剤を混入した蛍光色の樹脂材料で形成されたホルダー２１にバックライト手段の点灯時の間光が蓄えられ、蓄えられた光で表示部を照明することができ、バックライト手段を消灯しても液晶表示器２０に表示する内容がわかるようになり、より視認性が向上する利点が考えられる。
【００５０】
また、液晶表示器２０の背景色を複数とするように、少なくともホルダー２１の表面は蓄光剤を混入した複数の蛍光色で配色を施した構成で説明したが、これは、液晶表示器２０を支持し位置規制するホルダー２１を介して液晶表示器２０をプリント基板に配設するとともに、ホルダー２１は液晶表示器２０の背景色を形成するように蓄光剤を混入した蛍光色の樹脂材料で形成してもよく、これによれば、液晶表示器２０の角度や位置のバラツキによる見にくさを防止しつつ、バックライトによる液晶表示器２０の照明がなくても、液晶表示器２０に表示する内容がホルダー２１の蛍光色の背景となりわかりやすくなり、さらに、周囲が暗くなっても蓄光剤に蓄えられた光によって液晶表示器２０に表示する内容がわかるようになる。
【００５１】
さらに、液晶表示器２０の背景色を複数とするように、ホルダー２１の表面に蓄光剤を混入した複数の蛍光色を印刷する構成で説明したが、これは、液晶表示器の背景色を複数とするように、ホルダー２１は蓄光剤を混入した複数の蛍光色の樹脂材料で組み合わせて形成してもよく、液晶表示器の背景色を複数とするような構成であればよい。また、点滅を「４桁数字表示」３１の周囲の囲い部分３２のみで説明したが、これは、絵文字、数字表示などのどの部分に用いても良いし、液晶表示器２０の点灯、点滅、消灯をどのように組み合わせてもよく、その他各部の構成も本発明の目的を達成する範囲であればその構成はどのようなものであってもよい。
【産業上の利用可能性】
【００５２】
以上のように、本発明にかかる表示装置は、簡単な構成で判りやすい表示が可能となるので、一般の電気器具に用いる表示装置等の用途にも適用できる。
【図面の簡単な説明】
【００５３】
【図１】本発明の実施の形態１における液晶表示器の表示概略図
【図２】同液晶表示器の断面構造図
【図３】本発明の実施の形態１における燃焼機の制御ブロック図
【図４】従来の燃焼機のブロック図
【図５】従来の燃焼機の動作を表すフローチャート
【符号の説明】
【００５４】
１１  操作部
１２  制御部
１３  表示部
１９  プリント基板
２０  液晶表示器
２１  ホルダー
【図１】
2005172369.tif 000003
【図２】
2005172369.tif 000004
【図３】
2005172369.tif 000005
【図４】
2005172369.tif 000006
【図５】
2005172369.tif 000007